(57)【要約】【課題】画像を通常の速度で書き込むことができると共に、フリッカーの発生を防止できるＥＬ表示装置を提供する。【解決手段】ＥＬ表示装置１０は、格子状に配された複数の画素１２は、右目画像データと左目画像データとを１ライン毎に画素１２の保存容量２６に書き込み、右目画像データが書き込まれた画素１２の有機ＥＬ素子２４と左目画像が書き込まれた画素１２の有機ＥＬ素子２４とを発光トランジスタ３０によって交互に発光させる。【選択図】      図２
2011227386.tif 000002
【特許請求の範囲】
【請求項１】
複数のソース信号線と複数のゲート信号線とが直交するように配されると共に、格子状に配された複数の画素を有し、前記画素がＥＬ素子を有するＥＬパネルに３次元画像を表示するＥＬ表示装置において、
前記３次元画像における右目画像の表示時に、前記右目画像を表示するための全ての前記ＥＬ素子に前記右目画像に対応した電流を一括して流して発光させ、
前記３次元画像における左目画像の表示時に、前記左目画像を表示するための全ての前記ＥＬ素子に前記左目画像に対応した電流を一括して流して発光させる、
ことを特徴とするＥＬ表示装置。
【請求項２】
前記各画素は、
前記ＥＬ素子と、
前記３次元画像を表示するための３次元画像データ中の右目画像データを保持する右保持容量と、
前記３次元画像データ中の左目画像データを保持する左保持容量と、
（１）前記３次元画像における右目画像を表示するときに、前記右目画像データを保持する前記右保持容量と前記ＥＬ素子とを接続して、前記ＥＬパネルの全ての前記画素を発光させ、（２）前記３次元画像における左目画像を表示するときに、前記左目画像データを保持する前記左保持容量と前記ＥＬ素子とを接続して、前記ＥＬパネルの全ての前記画素を発光させると共に、（３）前記右目画像の表示と前記左目画像の表示の切り替えを１フレーム中において２回以上行う切り替え部と、
を有することを特徴とする請求項１に記載のＥＬ表示装置。
【請求項３】
１フレーム分の前記右目画像データと１フレーム分の前記左目画像データとを１ライン毎に交互に混在させた前記３次元画像データを、前記ソース信号線へ１フレーム期間中に出力するソース回路と、
前記ソース信号線と前記右保持容量との間に配され、前記右目画像データを前記右保持容量に書き込む右スイッチング素子と、
前記ソース信号線と前記左保持容量との間に配され、前記左目画像データを前記左保持容量に書き込む左スイッチング素子と、
をさらに有することを特徴とする請求項２に記載のＥＬ表示装置。
【請求項４】
前記切り替え部は、前記画素毎に設けられている、
ことを特徴とする請求項２に記載のＥＬ表示装置。
【請求項５】
前記切り替え部が、前記右目画像の表示と前記左目画像の表示の切り替えを行うのと同期して、右目シャッターと左目シャッターとが切り替わるシャッター式メガネをさらに有する、
ことを特徴とする請求項２に記載のＥＬ表示装置。
【請求項６】
前記３次元画像を表示するための３次元画像データ中の右目画像データと左目画像データとを、ｎライン（ｎ＞＝１）毎に前記画素の保持容量に前記ソース信号線から書き込み、
前記右目画像データが書き込まれた前記画素の前記ＥＬ素子と、前記左目画像が書き込まれた前記画素の前記ＥＬ素子とをｎライン毎に交互に発光させる、
ことを特徴とする請求項１に記載のＥＬ表示装置。
【請求項７】
１フレーム分の前記右目画像データと１フレーム分の前記左目画像データとをｎライン毎に交互に混在させた前記３次元画像データを、前記ソース信号線へ１フレーム期間中に出力するソース回路と、
前記ソース信号線と前記保持容量との間に配され、前記右目画像データ、又は、前記左目画像データを前記保持容量に書き込むスイッチング素子と、
をさらに有することを特徴とする請求項６に記載のＥＬ表示装置。
【請求項８】
前記３次元画像データは、１フレーム分の前記右目画像データと１フレーム分の前記左目画像データとがｎライン毎に交互に混在し、
前記３次元画像データにおける奇数フレームにおいて、（１）前記右目画像データをｎ本の奇数ライン、又は、ｎ本の偶数ラインのどちらか一方の前記画素にまとめて書き込む動作と、前記左目画像データをｎ本の偶数ライン、又は、ｎ本の奇数ラインのどちらか一方の前記画素にまとめて書き込む動作を交互に行い、（２）前記右目画像データが書き込まれたｎ本の奇数ライン、又は、ｎ本の偶数ラインのどちらか一方の前記画素の前記ＥＬ素子をまとめて発光させる動作と、前記左目画像データが書き込まれたｎ本の偶数ライン、又は、ｎ本の奇数ラインのどちらか一方の前記画素の前記ＥＬ素子をまとめて発光させる動作を交互に行い、
前記３次元画像データにおける偶数フレームにおいて、（１）前記左目画像データをｎ本の奇数ライン、又は、ｎ本の偶数ラインのどちらか一方の前記画素にまとめて書き込む動作と、前記右目画像データをｎ本の偶数ライン、又は、ｎ本の奇数ラインのどちらか一方の前記画素にまとめて書き込む動作を交互に行い、（２）前記右目画像データが書き込まれたｎ本の奇数ライン、又は、ｎ本の偶数ラインのどちらか一方の前記画素の前記ＥＬ素子をまとめて発光させる動作と、前記右目画像データが書き込まれたｎ本の偶数ライン、又は、ｎ本の奇数ラインのどちらか一方の前記画素の前記ＥＬ素子をまとめて発光させる動作を交互に行う、
ことを特徴とする請求項６に記載のＥＬ表示装置。
【請求項９】
前記ＥＬ表示装置がｎラインの画像を表示する時間と同期して、右目シャッターと左目シャッターとが切り替わるシャッター式メガネをさらに有する、
ことを特徴とする請求項８に記載のＥＬ表示装置。
【発明の詳細な説明】
【技術分野】
【０００１】
本発明は、３次元画像を表示できるＥＬ表示装置に関するものである。
【背景技術】
【０００２】
最近、ユーザがシャッター式メガネを掛け、３次元画像を見ることができる３次元画像表示装置が実用化されている（例えば、特許文献１参照）。
【０００３】
このような３次元画像表示装置としては、液晶表示装置やプラズマディスプレイなどが用いられ、シャッター式メガネにより右目画像と左目画像を切り替えるため、２次元画像を表示する倍以上の速度で画像を書く必要がある。
【先行技術文献】
【特許文献】
【０００４】
【特許文献１】特開２００９−３１５２４号公報
【発明の概要】
【発明が解決しようとする課題】
【０００５】
上記のように、画像を従来の倍以上の速度で書き込むと、表示装置の表示回路に負担が掛り、また、表示期間の半分は、シャッター式メガネのシャッターにより画像が表示されないため、フリッカーが発生するという問題点があった。
【０００６】
そこで、本発明は上記問題点に鑑み、画像を通常の速度で書き込むことができると共に、フリッカーの発生を防止できるＥＬ表示装置を提供する。
【課題を解決するための手段】
【０００７】
本発明は、複数のソース信号線と複数のゲート信号線とが直交するように配されると共に、格子状に配された複数の画素を有し、前記画素がＥＬ素子を有するＥＬパネルに３次元画像を表示するＥＬ表示装置において、前記３次元画像における右目画像の表示時に、前記右目画像を表示するための全ての前記ＥＬ素子に前記右目画像に対応した電流を一括して流して発光させ、前記３次元画像における左目画像の表示時に、前記左目画像を表示するための全ての前記ＥＬ素子に前記左目画像に対応した電流を一括して流して発光させる、ことを特徴とするＥＬ表示装置である。
【発明の効果】
【０００８】
本発明によれば、画像の書き込み速度を上げることなく、また、フリッカーの発生も防止できる。
【図面の簡単な説明】
【０００９】
【図１】本発明のに係る実施例１のＥＬ表示装置の構成図である。
【図２】実施例１の画素の回路である。
【図３】実施例１における３次元画像データの説明図である。
【図４】実施例１におけるタイミングチャートである。
【図５】実施例２におけるＥＬ表示装置の構成図である。
【図６】実施例２における奇数フレームのタイミングチャートである。
【図７】実施例２における偶数フレームのタイミングチャートである。
【図８】実施例３の画素の回路である。
【図９】実施例３における３次元画像データの説明図である。
【発明を実施するための形態】
【００１０】
本発明の一実施形態に係るＥＬ表示装置について説明する。本実施形態のＥＬ表示装置は、左目画像と右目画像からなる３次元画像（立体画像）を表示できる有機ＥＬ表示装置である。
【００１１】
本実施形態のＥＬ表示装置は、有機ＥＬ表示装置特有の画素のＥＬ素子に流れる電流を遮断できる特性を用いて３次元画像の表示を行うことにある。すなわち、右目用のＥＬ素子に流れる電流と、左目用のＥＬ素子に流れる電流を一括でＯＮ／ＯＦＦして駆動させ、全ての右目用のＥＬ素子を一括して発光させるか、全ての左目用のＥＬ素子を一括して発光させる。
【００１２】
本実施形態の実施例１と実施例２とでは、上記の構成を実現するために、右目画像を表示するときには、例えば、偶数ラインの画素のＥＬ素子を右目表示用として使用して一括して発光させ、左目画像を表示するときには、奇数ラインの画素のＥＬ素子を左目表示として使用して一括して発光させる。
【００１３】
また、実施例３では、上記の構成を実現するために、一つの画素のＥＬ素子を交互に右目ＥＬ素子と左目ＥＬ素子として使用して、発光させる。
【００１４】
以下、順番に各実施例のＥＬ表示装置１０について図面に基づいて説明する。
【実施例１】
【００１５】
以下、本発明に係る実施例１のＥＬ表示装置１０について図１〜図３に基づいて説明する。
【００１６】
（１）ＥＬ表示装置１０の構成
図１に示すように、本実施例のＥＬ表示装置１０は、例えば、３１万個の画素１２が格子状に配されたＶＧＡの有機ＥＬパネル１４、各画素１２に３次元画像データ等をソース信号線３４を用いて出力するソース回路１６、書き込みゲート信号を書き込みゲート信号線３２を用いて出力する書き込みゲート回路１８、発光ゲート信号を発光ゲート信号線３６を用いて出力する発光ゲート回路２０とを有している。有機ＥＬパネル１４には、２４０本×Ｒ，Ｇ，Ｂのソース信号線３４と、４８０本の書き込みゲート信号線３２、発光ゲート信号線３６が直交するように配線されている。
【００１７】
（２）画素１２の構成
各画素１２の構成について、図２に基づいて説明する。
【００１８】
画素１２は、薄膜トランジスタ（以下、「ＴＦＴ」という）からなるｎ型の駆動トランジスタ２２、有機ＥＬ素子２４、保存容量２６、ＴＦＴからなるｎ型の画像データ書き込み用トランジスタ（以下、「書き込みトランジスタ」という）２８、ＴＦＴからなるｎ型の有機ＥＬ素子発光用トランジスタ（以下、「発光トランジスタ」という）３０とを有する。
【００１９】
駆動トランジスタ２２のソース電極は、ソース回路１６に構成されたＥＬカソード電源Ｖｃａｔｈｏｄｅに接続されている。
【００２０】
駆動トランジスタ２２のドレイン電極は、発光トランジスタ３０のソース電極に接続され、この発光トランジスタ３０のドレイン電極は、有機ＥＬ素子２４のカソード電極に接続されている。発光トランジスタ３０のゲート電極は、発光ゲート信号線３６によって発光ゲート回路２０に接続されている。
【００２１】
有機ＥＬ素子２４のアノード電極は、ソース回路１６に構成されたＥＬアノード電源Ｖａｎｏｄｅに接続されている。
【００２２】
駆動トランジスタ２２のゲート電極には、書き込みトランジスタ２８のドレイン電極が接続されている。
【００２３】
保存容量２６は、駆動トランジスタ２２のゲート電極とカソード電極との間に接続されている。
【００２４】
書き込みトランジスタ２８のソース電極は、ソース信号線３４と接続されている。書き込みトランジスタ２８のゲート電極は、書き込みゲート信号線３２によって書き込みゲート回路１８と接続されている。
【００２５】
（３）３次元画像データ
本実施例において、ＥＬ表示装置１０に供給されるデジタルの３次元画像データについて図３に基づいて説明する。
【００２６】
ＶＧＡの３次元画像を表示するための３次元画像データは、図３（ａ）に示すように左目画像データと、図３（ｂ）に示すように右目画像データとからなる。本実施例においては、１フレーム分の左目画像データと、１フレーム分の右目画像データとが、１ライン毎に交互に混在して、ＶＧＡ（Ｈ＝２４０本×Ｒ，Ｇ，Ｂ、Ｖ＝４８０本）の３次元画像データを形成している。例えば、奇数ラインには右目画像データが挿入され、偶数ラインには左目画像データが挿入されている。
【００２７】
（４）ＥＬ表示装置１０の動作状態
次に、ＥＬ表示装置１０の動作状態について、図２及び図４のタイミングチャートに基づいて説明する。
【００２８】
不図示の制御回路からソース回路１６に３次元画像の画像信号、画像スタート信号、画像クロック信号が入力し、ソース回路１６から、各ソース信号線３４に上記で説明した３次元画像データＤＡＴＡが出力される。
【００２９】
前記制御回路から書き込みゲート回路１８に、書き込みスタート信号ＳＴＶ１、書き込みクロック信号ＣＫＶ１が入力する。これら信号に基づいて、書き込みゲート回路１８から画像書き込み用の書き込みゲート信号ＧＡＴＥ１が、同じラインにある各画素１２の書き込みトランジスタ２８に出力される。
【００３０】
前記制御回路から発光ゲート回路２０に、発光スタート信号ＳＴＶ２、発光クロック信号ＣＫＶ２が入力し、これら信号に基づいて、発光ゲート回路２０から有機ＥＬ素子発光用の発光ゲート信号ＧＡＴＥ２が、同じラインにある各画素１２の発光トランジスタ３０に出力される。
【００３１】
ＥＬ表示装置１０が、３次元画像を表示する場合に、３次元画像データを書き込むための書き込み期間と、有機ＥＬ素子２４を所定の輝度で発光させる表示期間とに分かれる。
【００３２】
１ライン目の画素１２の書き込み期間においては、３次元画像データの中の１ライン目における右目画像データがソース信号線３４から印加されたタイミングで、書き込みゲート信号によって書き込みトランジスタ２８がＯＮされて、保存容量２６に右目画像データが書き込まれる。なお、必要であればこの書き込み期間の最初に駆動トランジスタ２２を初期化すると共に、閾値を補償してもよい。
【００３３】
２ライン目の画素１２の書き込み期間においては、３次元画像データの中の２ライン目における左目画像データがソース信号線３４から印加されたタイミングで、書き込みゲート信号によって書き込みトランジスタ２８がＯＮされて、保存容量２６に左目画像データが書き込まれる。
【００３４】
上記のように、奇数ラインの画素１２には、右目画像データが書き込まれ、偶数ラインの画素１２には、左目画像データが書き込まれる。１フレーム分の３次元画像データの書き込みが終了すると、表示期間に移行する。
【００３５】
表示期間においては、奇数ラインの画素１２と偶数ラインの画素１２とを、発光ゲート回路２０からの発光ゲート信号により交互に発光させる。
【００３６】
すなわち、１ライン目の画素１２における表示期間においては、発光ゲート信号によって発光トランジスタ３０をＯＮして、駆動トランジスタ２２は、書き込み期間で書き込まれた保存容量２６における右目画像データ用の容量に応じたドレイン電流を有機ＥＬ素子２４に供給し、有機ＥＬ素子２４が発光する。
【００３７】
２ライン目の画素１２における表示期間においては、発光ゲート信号によって発光トランジスタ３０をＯＮして、駆動トランジスタ２２は、書き込み期間で書き込まれた保存容量２６における左目画像データ用の容量に応じてドレイン電流を有機ＥＬ素子２４に供給し、有機ＥＬ素子２４が発光する。
【００３８】
上記のように、発光トランジスタ３０のＯＮのタイミングをずらせ、奇数ラインの画素１２と、偶数ラインの画素１２とを交互に発光させる。これにより、３次元画像における左目画像と右目画像とが交互に表示される。
【００３９】
ユーザは、シャッター式メガネを装着しておき、左目画像が表示されたときには、これと同期して右目シャッターを下ろし、左目のみ視認できるようにする。一方、右目画像が表示されたときには、これと同期して左目シャッターを下ろし、右目のみ視認できるようにする。
【００４０】
これにより、ユーザは、左目画像と右目画像とを交互に視認し、あたかも３次元画像が表示されたように認識できる。
【００４１】
なお、上記実施例１においては、３次元画像データを出力して、３次元画像データを表示するようにしたが、２次元画像データを外部から送れば、ＥＬ表示装置１０は、従来と同様の画像を表示できる。
【００４２】
（５）効果
本実施例のＥＬ表示装置１０であると、１フレーム中において、左目画像データと右目画像データとを混在させた１フレーム分の３次元画像データを、ソース回路１６から出力するだけでよいため、従来のような倍速駆動を行う必要がなく、ソース回路１６に負担が掛からない。
【００４３】
また、１ライン毎に右目画像と左目画像とを交互に表示するため、従来のようなフリッカーが発生することがない。
【００４４】
（６）変更例
実施例１において、奇数フレームと偶数フレームで表示するラインを変更するとさらに画質の改善を図ることができる。具体的には、奇数フレームで右目画像を奇数ラインで、左目画像を偶数ラインで表示した場合には、偶数フレームで右目画像を偶数ラインで、左目画像を奇数ラインで表示する。また、逆に、奇数フレームで右目画像を偶数ラインで、左目画像を奇数ラインで表示した場合には、偶数フレームで右目画像を奇数ラインで、左目画像を偶数ラインで表示する。
【実施例２】
【００４５】
次に、本発明に係る実施例２のＥＬ表示装置１０について、図５〜図７に基づいて説明する。
【００４６】
実施例１で説明したように、ＥＬ表示装置１０の画素１２を動作させるには、書き込み期間と表示期間とが必要であり、書き込みと有機ＥＬ素子２４の発光は同時に行うことができない。
【００４７】
また、実施例１におけるＥＬ表示装置１０においては、奇数ラインの画素１２に右目画像を表示し、偶数ラインの画素１２に左目画像を表示している。そのため、シャッター式メガネのＯＮ／ＯＦＦは、これと同期して１ライン周期で行う必要がある。しかし、このようなシャッター式メガネを１ライン周期毎にＯＮ／ＯＦＦすることは、ロスが大きい。すなわち、シャッター式メガネのシャッターを切り替える場合に、一方の目のシャッターが完全に閉じた状態で、他方の目のシャッターを開ける必要があり、シャットー速度に合わせて、画像を表示すると画質が落ちることとなる。
【００４８】
そこで、本実施例では、書き込みと発光とを同時に行うことなく、かつ、シャットー速度は１フレーム周期よりも長い周期（例えば４ライン周期など）でＯＮ／ＯＦＦしつつ、右目画像と左目画像とをシャッター速度とは異なるタイミングで表示できるＥＬ表示装置１０について説明する。
【００４９】
（２）ＥＬ表示装置１０の構成
本実施例のＥＬ表示装置１０では、図５に示すように、書き込みゲート回路を、奇数ライン用の第１書き込みゲート回路１８１と偶数ライン用の第２書き込みゲート回路１８２の２つに分けている。なお、各画素１２の構成は、実施例１と同様である。
【００５０】
（３）ＥＬ表示装置１０の動作
本実施例のＥＬ表示装置１０の動作について、図６及び図７のタイミングチャートを用いて説明する。図６は奇数フレームのタイミングチャートであり、図７は偶数フレームのタイミングチャートである。
【００５１】
図５に示すように、第１書き込みゲート回路１８１には、第１書き込みスタート信号ＳＴＳ１と第１書き込みクロック信号ＣＬＫ１が入力する。
【００５２】
第２書き込みゲート回路１８２には、第２書き込みスタート信号ＳＴＳ２と第２書き込みクロック信号ＣＬＫ２が入力する。
【００５３】
発光ゲート回路２０には、発光スタート信号ＳＴＢと発光クロック信号ＣＬＫＢが入力する。
【００５４】
奇数フレームの表示状態について説明する。
【００５５】
まず、第１書き込みゲート回路１８１に第１書き込みスタート信号ＳＴＳ１が入力し、奇数ラインの画素１２に右目画像を書き込む。この書き込みの場合に、図６のタイミングチャートに示すように、４ラインの奇数ラインをまとめて書き込む。例えば、Ｒ１、Ｒ３、Ｒ５、Ｒ７の右目画像データをひとまとめにして書き込む。
【００５６】
次に、第２書き込みゲート回路１８２に第２書き込みスタート信号ＳＴＳ２が入力し、偶数ラインの画素１２に左目画像を書き込む。この書き込みの場合に、図６のタイミングチャートに示すように、４ラインの偶数ラインをまとめて書き込む。例えば、Ｌ２、Ｌ４、Ｌ６、Ｌ８の左目画像データを書き込む。
【００５７】
次に、第１書き込みゲート回路１８１が、次の一まとまりである４ライン分の奇数ラインの画素１２に右目画像データを書き込む。
【００５８】
以下同様に交互に４ライン毎に右目画像データと左目画像データとを、第１書き込みゲート回路１８１と第２書き込みゲート回路１８２が書き込んでいく。
【００５９】
表示期間においては、奇数ラインの画素１２の有機ＥＬ素子２４と、偶数ラインの画素１２の有機ＥＬ素子２４を、発光ゲート回路２０からの発光ゲート信号により、交互に発光させる。この場合に、実施例１においては１ライン周期毎に発光させていたが、本実施例では４ラインまとめて書き込んでいくため、発光期間は４ライン分、すなわち実施例１における１／４の周期で発光させる。同様に、シャッター式メガネのシャッター速度も、１／４になり、ロスが生じたりすることがない。
【００６０】
偶数フレームにおいても、同様に４本分まとめた奇数ラインに左目画像を書き込み、４本分まとめた偶数ラインに右目画像を書き込む。発光ゲート回路２０は、４ライン分まとめて発光するタイミングで発光させる。この偶数フレームにおいても、シャッター式メガネのシャッター速度を１／４にすることができる。
【００６１】
（４）効果
以上により、本実施例では、書き込みと発光とを同時に行うことがない。
【００６２】
また、シャットー速度は１フレーム周期よりも長い周期（４ライン周期）でＯＮ／ＯＦＦしつつ、右目画像と左目画像とをシャッター速度とは異なるタイミングで表示できるので、画質が落ちることがない。
【００６３】
（５）変更例
なお、上記実施例２では、４ライン毎にひとまとめに書き込み、発光を行ったが、４ラインに限らず２以上のラインで行えば、シャッター式メガネのシャッター速度も、１／２以下になり、ロスが生じたりすることがない。
【００６４】
また、上記実施例２においては、３次元画像データを出力して、３次元画像データを表示するようにしたが、２次元画像データを外部から送れば、ＥＬ表示装置１０は、従来と同様の画像を表示できる。
【実施例３】
【００６５】
次に、本発明に係る実施例３のＥＬ表示装置１０について、図８、図９に基づいて説明する。
【００６６】
実施例１のＥＬ表示装置においては、奇数ラインに右目画像データを書き込み、偶数ラインに左目画像データを書き込んで、１フレーム分の３次元画像データを形成していたため、解像度が半分になるという問題点がある。そこで、本実施例では、この解像度が落ちることなく、３次元画像を表示できるＥＬ表示装置１０について説明する。
【００６７】
（１）画素１２の構造
本実施例の画素１２の構造について図８に基づいて説明する。
【００６８】
画素１２は、左目画像用の左駆動トランジスタ２２Ｌ、右駆動トランジスタ２２Ｒ、有機ＥＬ素子２４０、左目画像用の左保存容量２６Ｌ、右目画像用の右保存容量２６Ｒ、左目画像用の左書き込みトランジスタ２８Ｌ、右目画像用の右書き込みトランジスタ２８Ｒ、左目画像用の左発光トランジスタ３０Ｌ、右目画像用の右発光トランジスタ３０Ｒとを有する。
【００６９】
左駆動トランジスタ２２Ｌのソース電極には、ソース回路１６に構成されたカソード電源Ｖｃａｔｈｏｄｅが接続されている。左駆動トランジスタ２２Ｌのドレイン電極には、左発光トランジスタ３０Ｌのソース電極が接続されている。この左発光トランジスタ３０Ｌのドレイン電極には、有機ＥＬ素子２４０のカソード電極が接続されている。左駆動トランジスタ２２Ｌのゲート電極には、左書き込みトランジスタ２８Ｌのドレイン電極が接続されると共に、左駆動トランジスタ２２Ｌのソース電極とゲート電極の間には左保存容量２６Ｌが接続されている。左書き込みトランジスタ２８Ｌのソース電極には、ソース信号線３４が接続されている。左書き込みトランジスタ２８Ｌのゲート電極には、書き込みゲート回路１８からの左書き込みゲート信号線３２Ｌが接続されている。
【００７０】
右駆動トランジスタ２２Ｒのソース電極には、ソース回路１６に構成されたカソード電源Ｖｃａｔｈｏｄｅが接続されている。右駆動トランジスタ２２Ｒのドレイン電極には、右発光トランジスタ３０Ｒのソース電極が接続されている。この右発光トランジスタ３０Ｒのドレイン電極には、有機ＥＬ素子２４０のカソード電極が接続されている。右駆動トランジスタ２２Ｒのゲート電極には、右書き込みトランジスタ２８Ｒのドレイン電極が接続されると共に、右駆動トランジスタ２２Ｒのゲート電極とソース電極の間には右保存容量２６Ｒが接続されている。右書き込みトランジスタ２８Ｒのソース電極には、ソース信号線３４が接続されている。右書き込みトランジスタ２８Ｒのゲート電極には、書き込みゲート回路１８からの右書き込みゲート信号線３２Ｒが接続されている。
【００７１】
左発光トランジスタ３０Ｌと右発光トランジスタ３０Ｒとは、それぞれ発光ゲート回路２０の発光ゲート信号線３６が接続され、交互にＯＮ／ＯＦＦされる。
【００７２】
有機ＥＬ素子２４０のアノード電極は、ソース回路１６に構成されたＥＬアノード電源Ｖａｎｏｄｅに接続されている。
【００７３】
（２）３次元画像データ
次に、本実施例の３次元画像データの構造について図９に基づいて説明する。
【００７４】
本実施例の３次元画像データは、図９（ａ）に示すように１フレーム分の左目画像データと、図９（ｂ）に示すように右目画像データとが、図９（ｃ）に示すように、１ライン毎に交互に混在した構造である。
【００７５】
本実施例と実施例１の異なる点は、次の通りである。
【００７６】
実施例１では奇数ラインに右目画像データの奇数ラインが存在し、偶数ラインに左目画像データの偶数ラインが存在していた。そのため、解像度が半分、ＶＧＡの場合には２４０本になっていた。
【００７７】
しかし、本実施例では、１フレーム分の左目画像の全ての４８０本のラインの画像データと、右目画像データの全ての４８０本のラインの画像データが交互に混在している。そのため、画像の信号量としては、図９（ｃ）に示すように、１フレーム分としては２倍の画像データ（４８０本×２）が存在している。この混在した３次元画像データの偶数ライン又は奇数ラインを交互に表示することにより、解像度が全く落ちない図９（ｄ）に示すような４８０本の左目画像と、図９（ｅ）に示すような４８０本の右目画像を表示できる。
【００７８】
（３）表示方法
次に、本実施例のＥＬ表示装置１０の動作状態について図８に基づいて説明する。
【００７９】
ソース信号線３４からは、図９（ｃ）に示すような３次元画像データが出力される。  書き込み期間において、各ラインの画素１２における左書き込みトランジスタ２８Ｌと右書き込みトランジスタ２８Ｒとを交互にＯＮさせて、左保存容量２６Ｌには、左目画像データを保存し、右保存容量２６Ｒには、右目画像データを保存する。
【００８０】
次に、表示期間において、全てのラインの画素１２の左発光トランジスタ３０ＬをまずＯＮさせて、左保存容量２６Ｌに保存されている左目画像データを用いて有機ＥＬ素子２４０を、左目画像データに対応した輝度で発光させる。次に、左書き込みトランジスタ２８ＬをＯＦＦさせる。次に、全てのラインの画素１２の右発光トランジスタ３０ＲをＯＮさせて、右保存容量２６Ｒに保存されている右目画像データを用いて有機ＥＬ素子２４０を、左目画像データに対応した輝度で発光させる。
【００８１】
ユーザは、シャッター式メガネを装着しておき、左目画像が表示されたときには、これと同期して右目シャッターを下ろし、左目のみ視認できるようにする。一方、右目画像が表示されたときには、これと同期して左目シャッターを下ろし、右目のみ視認できるようにする。
【００８２】
これにより、ユーザは、左目画像と右目画像とを交互に視認し、あたかも高解像度の３次元画像が表示されたように認識できる。
【００８３】
また、上記実施例３においては、３次元画像データを出力して、３次元画像データを表示するようにしたが、２次元画像データを外部から送れば、ＥＬ表示装置１０は、従来と同様の画像を表示できる。
【００８４】
（４）効果
本実施例によれば、同じ画素１２において、左目画像データと右目画像データとに基づいてそれぞれ有機ＥＬ素子２４０を発光させるため、実施例１のように解像度が落ちることなく、左目画像データと右目画像データを交互に高解像度で表示できる。
【００８５】
（５）変更例
実施例３では、左発光トランジスタ３０ＬをＯＦＦさせた後に、右発光トランジスタ３０ＲをＯＮさせたが、この間に左発光トランジスタ３０Ｌと右発光トランジスタ３０Ｒが共にＯＦＦする時間を設けてもよい。
【００８６】
実施例３では、左発光トランジスタ３０Ｌと右発光トランジスタ３０Ｒとは１本のゲート信号線で配線してＯＮ／ＯＦＦさせたが、左発光トランジスタ３０Ｌ用のゲート信号線、右発光トランジスタ３０Ｒ用の書き込みゲート信号線を形成して、それぞれに書き込みゲート信号を送り、ＯＮ／ＯＦＦさせてもよい。
【００８７】
実施例３では、縦方向の画素１２について、１本のソース信号線３４に接続したが、２本のソース信号線３４を用い、１本のソース信号線は左書き込みトランジスタ２８Ｌに接続し、もう１本のソース信号線は右書き込みトランジスタ２８Ｒに接続してもよい。
【変更例】
【００８８】
本発明は上記各実施例に限らず、その主旨を逸脱しない限り種々に変更することができる。
【００８９】
実施例２と実施例３とを組み合わせれば、解像度が落ちることなく、シャッター式メガネのシャッター速度を落とすことができる。
【００９０】
上記各実施例では、ｎ型のトランジスタについて説明したが、これに限らずｐ型のトランジスタを用いてもよい。この場合には上記各実施例の回路における＋と−が逆になる。
【００９１】
トランジスタとしては、ＴＦＴで説明したが、これに限らずハイポーラトランジスタでもよく、ＴＦＴについてはポリシリコン、結晶シリコン、アモルファスシリコン、酸化物ＴＦＴなど構成材料によらず同様に実施することができる。
【００９２】
また、スイッチング素子としては、ＭＯＳトランジスタで説明したが、これに限らずＭＩＳトランジスタ、ダイオードなどのスイッチング動作を行う素子であればよい。
【００９３】
また、ＥＬ素子としては、有機ＥＬ素子で説明したが、これに代えて無機ＥＬ素子を用いてもよい。
【符号の説明】
【００９４】
１０  ＥＬ表示装置
１２  画素
１４  有機ＥＬパネル
１６  ソース回路
１８  書き込みゲート回路
２０  発光ゲート回路
２２  駆動トランジスタ
２４  有機ＥＬ素子
２６  保存容量
２８  書き込みトランジスタ
３０  発光トランジスタ
【図１】
2011227386.tif 000003
【図２】
2011227386.tif 000004
【図３】
2011227386.tif 000005
【図４】
2011227386.tif 000006
【図５】
2011227386.tif 000007
【図６】
2011227386.tif 000008
【図７】
2011227386.tif 000009
【図８】
2011227386.tif 000010
【図９】
2011227386.tif 000011